(57)【特許請求の範囲】
【請求項１】
電気コネクタと、取外装置とを有する、真空吸引操作を提供できる電子装置であって、
前記電気コネクタは、
複数の端子収容孔と、側壁に形成された複数の突出部とが設けられたベースと、
前記ベースの端子収容孔内に収容された複数の導電端子と、
前記ベースの上方に取付けられるとともに該ベースに対して摺動可能とされ、端子収容孔に対応して複数の貫通孔と、相対した側縁からそれぞれ下向きに延出するように形成された一対の相対した凸縁と、前記凸縁に隣接した箇所にそれぞれ形成された開口と、が設けられ、前記凸縁には前記開口に連通した凹所と、前記凹所に連通した前記ベースの突出部を収容するための穴とが形成されたカバーと、
前記ベースと前記カバーの間に取付けられ、該カバーをベースに対して摺動できる駆動具と、を含み、
前記取外装置は、真空吸引操作に寄与する表面を有し、かつ厚さを低減するための複数の凹部が設けられたボディと、該ボディから延伸した前記開口を通して凹所に収容した複数の係止爪と、を含み、
該係止爪はラッチをそれぞれ有し、前記係止爪のラッチが前記突出部の底面に係合し合わせることにより、前記取外装置を電気コネクタ上に固着させることを特徴とする電子装置。
【請求項２】
前記複数の凹部は、真空吸引を提供できるように前記ボディの中央位置に設置される第１凹部と、前記第１凹部を囲むように配置されている複数の第２凹部とを有し、かつ隣接した第２凹部の間及び該第２凹部と前記第１凹部との間はそれぞれ所定の隙間を持っていることを特徴とする請求項１に記載の電子装置。
【請求項３】
前記凹部の全面積はボディの表面の面積の５０％以上であることを特徴とする請求項２に記載の電子装置。
【請求項４】
前記係止爪は電気コネクタの両側縁に設置されていることを特徴とする請求項１に記載の電子装置。
【請求項５】
前記カバーがベースに対して第１位置に位置された状態、前記係止爪が前記カバーの開口に自由に挿入され、前記カバーはベースに対して第２位置に摺動された状態、前記係止爪が前記突出部と係合していることを特徴とする請求項４に記載の電子装置。
【発明の詳細な説明】
【０００１】
【発明の属する技術分野】
本発明は電気コネクタの取外装置に関し、特に吸引操作を提供できる取外装置に関するものである。
【０００２】
【従来の技術】
一般に、電気コネクタなどの電子部材は真空吸管により回路基板に精確に位置決めされ、該真空吸管は電気コネクタに取付けられた取外装置と合わさり、該取外装置は真空吸管の吸引操作に寄与するボディと、該ボディを電気コネクタに固着する固着構造とを含む。本出願人の特許文献１及び特許文献２は本発明に類似する構造を表示し、即ち、ソケットコネクタのカバーをベースに対して摺動することによって、取外装置をソケットコネクタ上に固着するようになっている。
【０００３】
しかし、前記取外装置のボディの厚さを低減するのは真空吸管でボディの表面を吸引することに対して有利なことだが、ボディの厚さが低減されるにつれてボディは強度が低下しかつ製造が難しくなる。
【０００４】
従って、真空吸引しやすく、製造しやすく、かつ十分な強度を持っている電気コネクタの取外装置を発明することが必要である。
【０００５】
【特許文献１】
米国特許第０９/９０９５８４号明細書
【特許文献２】
米国特許第１０/０６０１１９号明細書
【０００６】
【発明が解決しようとする課題】
本発明は、真空吸管の吸引操作に寄与しやすい、かつ十分な強度を持っている電気コネクタの取外装置を提供することを目的とする。
【０００７】
【課題を解決するための手段】
本発明の電子装置は電気コネクタと、取外装置とを有する、真空吸引操作を提供できる電子装置であって、
前記電気コネクタは、
複数の端子収容孔と、側壁に形成された複数の突出部とが設けられたベースと、
前記ベースの端子収容孔内に収容された複数の導電端子と、
前記ベースの上方に取付けられるとともに該ベースに対して摺動可能とされ、端子収容孔に対応して複数の貫通孔と、相対した側縁からそれぞれ下向きに延出するように形成された一対の相対した凸縁と、前記凸縁に隣接した箇所にそれぞれ形成された開口と、が設けられ、前記凸縁には前記開口に連通した凹所と、前記凹所に連通した前記ベースの突出部を収容するための穴とが形成されたカバーと、
前記ベースと前記カバーの間に取付けられ、該カバーをベースに対して摺動できる駆動具と、を含み、
前記取外装置は、真空吸引操作に寄与する表面を有し、かつ厚さを低減するための複数の凹部が設けられたボディと、該ボディから延伸した前記開口を通して凹所に収容した複数の係止爪と、を含み、
該係止爪はラッチをそれぞれ有し、前記係止爪のラッチが前記突出部の底面に係合し合わせることにより、前記取外装置を電気コネクタ上に固着させる。
【０００８】
【発明の実施の形態】
図１及び図２を参照されたい。本発明は真空吸管の吸引操作に寄与する電気コネクタ２０の取外装置１０に関するものである。図３乃至図７を合わせて参照すると、該取外装置１０はボディ１２及び２対の係止爪１３を含む。該ボディ１２は概略矩形板状に構成され、上表面１２０及び上表面１２０と反対側の下表面１２１を有する。該上表面、下表面１２０、１２１には中央位置に円形の中央凹部１２２が設けられ、該表面の四角部にそれぞれ該中央凹部１２２を囲むように設置された周辺凹部１２３が設けられ、隣接した周辺凹部１２３の間は互いに隔てられかつ所定の隙間を持っている。同時に、前記ボディ１２は両側面１２６を有し、該各側面１２６には１対の切欠部１２４が設けられている。前記係止爪１３はボディ側面１２６からボディの下方へ延伸して形成され、該係止爪１３の一端は前記ボディの切欠部１２４と接続され、他端はラッチ１３２を形成している。
【０００９】
図１及び図８を参照すると、該取外装置に合わせて使用される電気コネクタは、ゼロ挿入力のソケットコネクタであって、ベース２２、カバー２４、駆動具２６及び複数の導電端子３０を含み、前記ベース２２は矩形板状に構成され、矩形のベースフレーム２２０を有し、該ベースフレーム２２０に端子３０を収容するための端子収容孔２２１及び側面に位置された突出部２２３が設けられ、前記ベースフレーム２２０の一側に駆動具２６を収容するための収受部２２２が設けられ、該収受部２２２は条形溝２２４を含み、かつ隣接した条形溝２２４の間には複数のボス２２５が設けられている。
【００１０】
前記カバー２４はベース２２に取付けられかつベース２２に対して摺動可能とされ、矩形のカバーフレーム２４０を有し、該カバーフレーム２４０には端子収容孔２２１に対応して貫通孔２４１が設けられ、一端に駆動具２６を収容する収受室２４２が設けられ、かつ該カバーフレーム２２０と収受室２４２との形状及び位置はそれぞれベース２２のベースフレーム２２０及び駆動具２６の収受部２２２に対応している。前記２対の凸縁２４３はカバーフレーム２４０の辺縁から下方へ延伸して形成されている。前記カバーフレーム２４０は凸縁２４３に近接した側縁にそれぞれ一対の開口２４５を形成している。各凸縁２４３の内表面には凸縁２４３の方向に延伸される細長い穴２４６が形成られ、かつ該穴２４６は前記開口２４５に対応して射出成型により製造され、前記ベース２２の突出部２２３を収容できる。隣接した穴２４６の間に１対の凹所２４７が設けられ、該凹所２４７は穴２４６の下方へ延伸され、その底辺２４９は穴２４６の底縁２４８より低く形成されている。前記カバー２４が前記ベース２２に取付けられた時、前記突出部２２３は穴２４６に収容されかつ該突出部２２３の底部２５が穴２４６の底縁２４８に当接され、前記カバー２４及び前記ベース２２を垂直方向に固着させ、かつ突出部２２３の一部が該凹所２４７内に収容され、その底部２５は凹所２４７の底辺２４９と一定の距離を隔てている。前記収受室２４２の下表面にグルーブ２４４が形成され、該グルーブ２４４は対応する条形溝２２４と共に貫通溝を構成している。
【００１１】
前記駆動具２６はグルーブ２４４と条形溝２２４との貫通溝内に収容される駆動レバー２８と、該駆動レバーの端部から延伸された押圧レバー２９とを有する。また、本発明の駆動具２６は、当業内の何れか１つの構造として、該構造はゼロ挿入力ソケットコネクタに応用され、かつカバー２４を押圧してベース２２に対して摺動可能であることが必要である（例えば、ベース及びカバーの円孔内に収容されるカム）。
【００１２】
図９を合わせて参照すると、真空吸管が取外装置１０により電気コネクタ２０を吸引する状態にあり、該取外装置１０は電気コネクタ２０に取付けられ、その係止爪１３は開口２４５を介して凹所２４７内に挿入され、かつそのラッチ１３２は突出部２２３の底部２５に係合され、ボディ１２はカバー２４のカバーフレーム２４０に積重ねられ、真空吸管はボディ１２の上表面１２０の中央凹部１２２を吸引できる。
【００１３】
図面から見ると、中央凹部１２２及び周辺凹部１２３はボディ１２の上表面１２０の区域の大部分を占め、即ち５０％以上であって、それによって、ボディ１２の厚さが低減しているが、強度は変化していない。
【００１４】
前記の実施の形態は単なる本願のより良い実施の形態にすぎず、その請求範囲を限定するものではなく、また、当業者が本発明に基づきなしうる細部の変更或いは修正は、いずれも本発明の特許請求の範囲に属するものとする。
【図面の簡単な説明】
【図１】  本発明の電気コネクタの取外装置及び電気コネクタの分解斜視図である。
【図２】  本発明の電気コネクタの取外装置が電気コネクタに取付けられた状態を上面から見た図である。
【図３】  図１に示した取外装置の斜視図である。
【図４】  図３に示した取外装置を上面から見た図である。
【図５】  図３に示した取外装置の正面図である。
【図６】  図３に示した取外装置の側面図である。
【図７】  本発明の電気コネクタの取外装置の図４に示した７−７線方向の拡大断面図である。
【図８】  電気コネクタのカバーの部分断面図である。
【図９】  取外装置が図８に示した電気コネクタのカバーに取付けられた状態の断面図である。
【符号の説明】
１０  取外装置
１２  ボディ
１３  係止爪
２０  電気コネクタ
２２  ベース
２４  カバー
２５  底部
２６  駆動具
２８  駆動レバー
２９  押圧レバー
３０  端子
１２０  上表面
１２１  下表面
１２２  中央凹部
１２３  周辺凹部
１２４  切欠部
１２６  側面
１３２  ラッチ
２２０  ベースフレーム
２２１  端子収容孔
２２２  収受部
２２３  突出部
２２４  条形溝
２２５  ボス
２４０  カバーフレーム
２４１  貫通孔
２４２  収受室
２４３  凸縁
２４４  グルーブ
２４５  開口
２４６  穴
２４７  凹所
２４８  底縁
２４９  底辺
【図１】
0004115847.tif 000002
【図２】
0004115847.tif 000003
【図３】
0004115847.tif 000004
【図４】
0004115847.tif 000005
【図５】
0004115847.tif 000006
【図６】
0004115847.tif 000007
【図７】
0004115847.tif 000008
【図８】
0004115847.tif 000009
【図９】
0004115847.tif 000010